【手続補正書】
【提出日】平成26年10月10日(2014.10.10)
【手続補正１】
【補正対象書類名】特許請求の範囲
【補正対象項目名】全文
【補正方法】変更
【補正の内容】
【特許請求の範囲】
【請求項１】
１枚の媒体上へ画像を定着するためのシステムであって、前記システムは、
第１のエンクロージャであって、
前記１枚の媒体へ前記画像を形成するための画像形成セクションと、
前記１枚の媒体へ前記画像を定着するための熱エネルギー源を含まない加圧定着セクションとを有し、前記加圧定着セクションは、
熱エネルギー源を含まない第１の回転部材と、
熱エネルギー源を含まない第２の回転部材であって、前記第２の部材は前記第１の部材と前記第２の部材との間に間隙が存在するように前記第１の部材に近接して位置づけられ、前記間隙は前記１枚の媒体を受け入れるためのものである第２の回転部材と、
圧力によって前記１枚の媒体へ前記画像が定着されるように、前記１枚の媒体が前記間隙内に位置づけられると前記第１の部材及び前記第２の部材のうちの少なくとも一方へ力を加えて前記１枚の媒体へ圧力をかける力印加デバイスとを有し、さらに前記媒体が前記第１のエンクロージャを出る第１の媒体出口と、前記媒体が前記第１のエンクロージャを出る第２の媒体出口とを有する第１のエンクロージャと、
前記第１のエンクロージャから分離されかつ前記第１のエンクロージャへ取付け可能な第２のエンクロージャとを備え、前記第２のエンクロージャは、前記画像が前記加圧定着セクションによって前記媒体へ定着された後に前記１枚の媒体へ前記画像をさらに定着するための熱エネルギー源を含む定着セクションを有し、熱エネルギー源を含む前記定着セクションは、前記１枚の媒体上の前記媒体へ熱を加えることによって前記１枚の媒体へ前記画像をさらに定着するシステム。
【請求項２】
前記第１の部材はロールである、請求項１に記載のシステム。
【請求項３】
前記第２の部材はロールである、請求項２に記載のシステム。
【請求項４】
前記第１の部材は表面仕上げを有しかつ前記第２の部材は表面仕上げを有し、かつ前記第１の部材の表面仕上げは前記第２の部材の表面仕上げと同じである、請求項３に記載のシステム。
【請求項５】
前記加圧定着セクションは前記第１のエンクロージャ内に囲まれた唯一の画像定着デバイスである、請求項１に記載のシステム。
【請求項６】
前記第２のエンクロージャはさらに媒体入口を備え、かつ、
前記第１のエンクロージャの前記第２の媒体出口は、前記第２の媒体出口を介して前記第１のエンクロージャを出る媒体が前記第２のエンクロージャの媒体入口を介して前記第２のエンクロージャへとルーティングされるように前記第２のエンクロージャの媒体入口と位置を合わせる、請求項１に記載のシステム。
【請求項７】
前記第１のエンクロージャの前記第１の媒体出口は、前記第１の媒体出口を介して前記第１のエンクロージャを出る媒体が前記第２のエンクロージャの任意の媒体入口から離れてルーティングされるように前記第２のエンクロージャのどの媒体入口とも位置を合わせない、請求項６に記載のシステム。
【請求項８】
前記第２のエンクロージャはさらに、前記熱定着セクションへ電力を提供する電源を備える、請求項７に記載のシステム。
【請求項９】
１枚の媒体上へ画像を定着するための方法であって、
前記１枚の媒体を第１のエンクロージャへ導入することと、
前記第１のエンクロージャ内に位置づけられる画像形成セクションによって前記１枚の媒体上へ画像を形成することと、
前記第１のエンクロージャ内に位置づけられる熱エネルギー源を含まない加圧定着セクションによって前記１枚の媒体へ前記画像を定着することであって、前記加圧定着セクションは、熱エネルギー源を含まない第１の回転部材と、熱エネルギー源を含まない第２の回転部材とを有し、前記第２の部材は、前記第１の部材と前記第２の部材との間に間隙が存在するように前記第１の部材に近接して位置づけられ、前記間隙は前記１枚の媒体を受け入れるためのものであり、前記定着は前記１枚の媒体が前記間隙内に位置づけられると前記第１の部材及び前記第２の部材のうちの少なくとも一方へ力を加えて前記１枚の媒体へ圧力をかけることにより達成されることであって、前記第１のエンクロージャは、さらに前記媒体が前記第１のエンクロージャを出る第１の媒体出口と、前記媒体が前記第１のエンクロージャを出る第２の媒体出口とを有することと、
前記加圧定着セクションにおいて前記１枚の媒体へ前記画像を定着した後、前記１枚の媒体を前記第１のエンクロージャから分離されかつ前記第１のエンクロージャへ取付け可能な第２のエンクロージャへ導入することと、
前記第２のエンクロージャ内に位置づけられる熱エネルギー源を含む定着セクションによって前記１枚の媒体へ前記画像をさらに定着することであって、熱エネルギー源を含む前記定着セクションは、前記１枚の媒体上の前記画像へ熱を加えることによって前記画像を前記１枚の媒体へさらに定着することを含む方法。
【請求項１０】
１枚の媒体上へ画像を定着するためのシステムであって、前記システムは、
第１のエンクロージャであって、
前記１枚の媒体へ前記画像を形成するための画像形成セクションと、
適度な室温で動作しながら前記１枚の媒体へ前記画像を定着するための加圧定着セクションとを有し、前記加圧定着セクションは、
第１の回転部材と、
前記第１の部材と第２の部材との間に間隙が存在するように前記第１の部材に近接して位置づけられる第２の回転部材であって、前記間隙は前記１枚の媒体を受け入れるためのものである第２の回転部材と、
圧力によって前記１枚の媒体へ前記画像が定着されるように、前記１枚の媒体が前記間隙内に位置づけられると前記第１の部材及び前記第２の部材のうちの少なくとも一方へ力を加えて前記１枚の媒体へ圧力をかける力印加デバイスとを有し、さらに前記媒体が前記第１のエンクロージャを出る第１の媒体出口と、前記媒体が前記第１のエンクロージャを出る第２の媒体出口とを有する第１のエンクロージャと、
前記第１のエンクロージャから分離されかつ前記第１のエンクロージャへ取付け可能な第２のエンクロージャとを備え、前記第２のエンクロージャは、前記画像が前記加圧定着セクションによって前記媒体へ定着された後に前記１枚の媒体へ前記画像をさらに定着するための熱エネルギー源を含む定着セクションを有し、熱エネルギー源を含む前記定着セクションは、前記１枚の媒体上の前記媒体へ熱を加えることによって前記１枚の媒体へ前記画像をさらに定着するシステム。
【手続補正２】
【補正対象書類名】明細書
【補正対象項目名】発明の名称
【補正方法】変更
【補正の内容】
【発明の名称】媒体上へ画像を定着するためのシステム及び方法
【手続補正３】
【補正対象書類名】明細書
【補正対象項目名】０００４
【補正方法】変更
【補正の内容】
【０００４】
本発明に係る媒体上へ画像を定着するためのシステムは、１枚の媒体上へ画像を定着するためのシステムであって、前記システムは、第１のエンクロージャであって、前記１枚の媒体へ前記画像を形成するための画像形成セクションと、前記１枚の媒体へ前記画像を定着するための熱エネルギー源を含まない加圧定着セクションとを有し、前記加圧定着セクションは、熱エネルギー源を含まない第１の回転部材と、熱エネルギー源を含まない第２の回転部材であって、前記第２の部材は前記第１の部材と前記第２の部材との間に間隙が存在するように前記第１の部材に近接して位置づけられ、前記間隙は前記１枚の媒体を受け入れるためのものである第２の回転部材と、圧力によって前記１枚の媒体へ前記画像が定着されるように、前記１枚の媒体が前記間隙内に位置づけられると前記第１の部材及び前記第２の部材のうちの少なくとも一方へ力を加えて前記１枚の媒体へ圧力をかける力印加デバイスとを有し、さらに前記媒体が前記第１のエンクロージャを出る第１の媒体出口と、前記媒体が前記第１のエンクロージャを出る第２の媒体出口とを有する第１のエンクロージャと、前記第１のエンクロージャから分離されかつ前記第１のエンクロージャへ取付け可能な第２のエンクロージャとを備え、前記第２のエンクロージャは、前記画像が前記加圧定着セクションによって前記媒体へ定着された後に前記１枚の媒体へ前記画像をさらに定着するための熱エネルギー源を含む定着セクションを有し、熱エネルギー源を含む前記定着セクションは、前記１枚の媒体上の前記媒体へ熱を加えることによって前記１枚の媒体へ前記画像をさらに定着するシステムである。また、本発明に係る媒体上へ画像を定着するためのシステムは、１枚の媒体上へ画像を定着するためのシステムであって、前記システムは、第１のエンクロージャであって、前記１枚の媒体へ前記画像を形成するための画像形成セクションと、適度な室温で動作しながら前記１枚の媒体へ前記画像を定着するための加圧定着セクションとを有し、前記加圧定着セクションは、第１の回転部材と、前記第１の部材と第２の部材との間に間隙が存在するように前記第１の部材に近接して位置づけられる第２の回転部材であって、前記間隙は前記１枚の媒体を受け入れるためのものである第２の回転部材と、圧力によって前記１枚の媒体へ前記画像が定着されるように、前記１枚の媒体が前記間隙内に位置づけられると前記第１の部材及び前記第２の部材のうちの少なくとも一方へ力を加えて前記１枚の媒体へ圧力をかける力印加デバイスとを有し、さらに前記媒体が前記第１のエンクロージャを出る第１の媒体出口と、前記媒体が前記第１のエンクロージャを出る第２の媒体出口とを有する第１のエンクロージャと、前記第１のエンクロージャから分離されかつ前記第１のエンクロージャへ取付け可能な第２のエンクロージャとを備え、前記第２のエンクロージャは、前記画像が前記加圧定着セクションによって前記媒体へ定着された後に前記１枚の媒体へ前記画像をさらに定着するための熱エネルギー源を含む定着セクションを有し、熱エネルギー源を含む前記定着セクションは、前記１枚の媒体上の前記媒体へ熱を加えることによって前記１枚の媒体へ前記画像をさらに定着するシステムである。また、本発明に係る媒体上へ画像を定着するための方法は、１枚の媒体上へ画像を定着するための方法であって、前記１枚の媒体を第１のエンクロージャへ導入することと、前記第１のエンクロージャ内に位置づけられる画像形成セクションによって前記１枚の媒体上へ画像を形成することと、前記第１のエンクロージャ内に位置づけられる熱エネルギー源を含まない加圧定着セクションによって前記１枚の媒体へ前記画像を定着することであって、前記加圧定着セクションは、熱エネルギー源を含まない第１の回転部材と、熱エネルギー源を含まない第２の回転部材とを有し、前記第２の部材は、前記第１の部材と前記第２の部材との間に間隙が存在するように前記第１の部材に近接して位置づけられ、前記間隙は前記１枚の媒体を受け入れるためのものであり、前記定着は前記１枚の媒体が前記間隙内に位置づけられると前記第１の部材及び前記第２の部材のうちの少なくとも一方へ力を加えて前記１枚の媒体へ圧力をかけることにより達成されることであって、前記第１のエンクロージャは、さらに前記媒体が前記第１のエンクロージャを出る第１の媒体出口と、前記媒体が前記第１のエンクロージャを出る第２の媒体出口とを有することと、前記加圧定着セクションにおいて前記１枚の媒体へ前記画像を定着した後、前記１枚の媒体を前記第１のエンクロージャから分離されかつ前記第１のエンクロージャへ取付け可能な第２のエンクロージャへ導入することと、前記第２のエンクロージャ内に位置づけられる熱エネルギー源を含む定着セクションによって前記１枚の媒体へ前記画像をさらに定着することであって、熱エネルギー源を含む前記定着セクションは、前記１枚の媒体上の前記画像へ熱を加えることによって前記画像を前記１枚の媒体へさらに定着することを含む方法である。